(57)【要約】【課題】着信があってから、サムネイル画像データを含む電話帳データを子機に表示させるまでの動作に遅延が生じないようにすること。【解決手段】記憶部１０３に記憶される電話帳データは、通話相手毎に、電話帳通番、名前情報、電話番号情報およびサムネイル画像データを対応付けたものである。子機転送データ送信部１２５は、電話帳データについては、電話帳通番と、変換後のサムネイル画像データのみを対応付けてコードレス電話子機に送信する。呼制御部１２１は、加入者回線から特定のコードレス電話子機宛に着信が有った場合、当該コードレス電話子機に、着信情報と共に、発信者の電話帳データの電話帳通番、名前情報および電話番号情報を送信する。【選択図】図２
2015204492.tif 000002
【特許請求の範囲】
【請求項１】
少なくとも１台以上の子機とその親機から成るコードレス電話装置であって、
前記親機は、
名前情報と電話番号情報を含むデータセットを１レコード単位として、前記データセットの複数レコードから成る電話帳データを記憶する第１の記憶部と、
前記子機に前記電話帳データの中から所定のデータセットを表示する場合に、前記電話帳データの表示対象となる前記データセットと該データセットを識別するレコード識別情報を編集したメッセージを前記子機に送信する第１の呼制御部と、
を具備し、
前記子機は、
前記親機に記憶された前記電話帳データのレコード識別情報と対応づけられたサムネイル画像データを記憶する第２の記憶部と、
前記親機から前記メッセージを受信した場合に、前記メッセージに含まれるデータセットと、前記メッセージのレコード識別情報に対応する前記第２の記憶部に記憶されているサムネイル画像データを所定の表示位置に表示する第２の呼制御部と、
を具備する、
コードレス電話装置。
【請求項２】
前記第１の呼制御部は、
固定電話回線から発信者番号情報を付与された着信を検知した場合に、
前記電話帳データの電話番号情報を検索して、前記発信者番号情報と一致する電話番号情報のレコード識別情報と、前記レコード識別情報に対応するデータセット情報を含む前記メッセージを子機に送信して、前記子機に電話帳データを表示指示する、
請求項１に記載のコードレス電話装置。
【請求項３】
前記親機は、
名前情報と電話番号情報とサムネイル画像データを含むデータセットをレコード単位として、少なくとも１レコード以上から成る電話帳データを、無線ＩＰ端末から受信し、前記第１の記憶部に記憶させる電話帳データ受信部と、
前記無線ＩＰ端末から前記サムネイル画像データを含む前記電話帳データを受信すると、前記電話帳データのサムネイル画像データと、該サムネイル画像データが対応づけられた前記レコード識別情報とをセットにして、前記子機に転送するサムネイル画像データ転送部と、
を備え、
前記子機は、
前記受信したレコード識別情報を元にサムネイル画像データを前記第２の記憶部に記憶するサムネイル画像データ受信部と、
を備える、
請求項１または請求項２に記載のコードレス電話装置。
【請求項４】
前記サムネイル画像データ転送部は、前記第１の記憶部に記憶されたサムネイル画像データを、前記子機に転送した後に消去する、
請求項３に記載のコードレス電話装置。
【請求項５】
前記親機は、
前記サムネイル画像データを前記転送先子機で利用可能なデータフォーマットに変換するサムネイル画像データ変換部を更に具備し、
前記サムネイル画像データ転送部は、前記サムネイル画像データ変換部にて変換された後のサムネイル画像データを送信する、
請求項３または請求項４に記載のコードレス電話装置。
【請求項６】
少なくとも１台以上の子機とその親機から成るコードレス電話装置における電話帳制御方法であって、
名前情報と電話番号情報とサムネイル画像データを含むデータセットをレコード単位として、複数レコードから成る電話帳データの内、前記名前情報と前記電話番号情報を含むデータセットから成る電話帳データを親機に記憶し、
前記親機に記憶された電話帳データのデータセットと対応付けられたレコード識別情報と前記サムネイル画像データを子機に記憶して、
前記親機は、前記子機に前記電話帳データの中から所定のデータセットを表示する場合に、前記電話帳データの表示対象となる前記データセットと該データセットを識別するレコード識別情報を編集したメッセージを前記子機に送信し、
前記子機は、前記親機から前記メッセージを受信した場合に、前記メッセージに含まれるデータセットと、前記メッセージのレコード識別情報に対応して前記子機に記憶されているサムネイル画像データを所定の表示位置に表示させる、
電話帳制御方法。                                                                             
【発明の詳細な説明】
【技術分野】
【０００１】
本発明は、コードレス電話装置、及び、このコードレス電話装置における電話帳制御方法に関する。
【背景技術】
【０００２】
近年、高精度の画像データを表示可能な液晶デバイスを備えた携帯電話機が普及している。このような携帯電話機では、電話帳発信時や、着信時および通話時において、通話相手の名前情報や電話番号情報と共にサムネイル画像を表示することが一般的になっている。
【０００３】
また、携帯電話機で利用しているサムネイル画像データを含む電話帳データを、家庭で利用しているコードレス電話機においても、利用したいという要望がある。ここで、電話帳データは、少なくとも、通話相手の名前情報、電話番号情報、およびサムネイル画像データを含むデータセットを１レコード（管理対象データの単位）とし、複数レコードから成るデータ構造を採る。なお、電話帳データのレコード情報には、上記の名前情報、電話番号情報、およびサムネイル画像データの他に、通話相手の国籍、住所、メールアドレス、所属会社、生年月日等の情報を含めても良い。
【０００４】
特許文献１には、携帯電話機と内線電話機（または一般加入電話機）とを接続して相互間で電話帳データを転送することができる電話帳データ転送ステムが記載されている。
【先行技術文献】
【特許文献】
【０００５】
【特許文献１】特開２００３−１０１６３２号公報
【発明の概要】
【発明が解決しようとする課題】
【０００６】
複数の子機と、その親機から構成されるコードレス電話装置では、親機で電話帳データを記憶、管理し、例えば、加入者回線から発信者番号を付与された着信が有る度に、親機から子機へ、受信した発信者番号と一致する電話帳データを送信し、子機の表示部に発信元の名前や電話番号等を着信情報として表示している。
【０００７】
しかしながら、子機に表示する着信情報に電話帳データのサムネイル画像データ（相手画像データ）が含まれていると、親機は、電話帳データの名前情報、電話番号情報のテキスト形式データと比較してデータ量の大きいサムネイル画像データを送信するため、親機から子機へのデータ送信が完了するまでに時間を要し、着信があってから電話帳データを子機に表示させるまでの動作に遅延が生じてしまう。
【０００８】
また、親機に記憶するサムネイル画像データのサイズが親機の表示部に表示するサイズと異なる場合には、子機の表示部に合わせたサイズに変換して子機にデータ送信する必要があり、子機へのサムネイル画像データの表示を行う度に、親機にてサイズ変換して子機にデータ送信すると、更なる遅延を招くことになる。
【０００９】
本発明の目的は、サムネイル画像データを含む電話帳データを子機に表示させるまでの動作に遅延が生じないようにすることができるコードレス電話装置および電話帳制御方法を提供することである。
【課題を解決するための手段】
【００１０】
本発明の一態様に係るコードレス電話装置は、少なくとも１台以上の子機とその親機から成るコードレス電話装置であって、前記親機は、名前情報と電話番号情報を含むデータセットを１レコード単位として、前記データセットの複数レコードから成る電話帳データを記憶する第１の記憶部と、前記子機に前記電話帳データの中から所定のデータセットを表示する場合に、前記電話帳データの表示対象となる前記データセットと該データセットを識別するレコード識別情報を編集したメッセージを前記子機に送信する第１の呼制御部と、を具備し、前記子機は、前記親機に記憶された前記電話帳データのレコード識別情報と対応づけられたサムネイル画像データを記憶する第２の記憶部と、前記親機から前記メッセージを受信した場合に、前記メッセージに含まれるデータセットと、前記メッセージのレコード識別情報に対応する前記第２の記憶部に記憶されているサムネイル画像データを所定の表示位置に表示する第２の呼制御部と、を具備する構成を採る。
【００１１】
本発明の一態様に係る電話帳制御方法は、少なくとも１台以上の子機とその親機から成るコードレス電話装置における電話帳制御方法であって、名前情報と電話番号情報とサムネイル画像データを含むデータセットをレコード単位として、複数レコードから成る電話帳データの内、前記名前情報と前記電話番号情報を含むデータセットから成る電話帳データを親機に記憶し、前記親機に記憶された電話帳データのデータセットと対応付けられたレコード識別情報と前記サムネイル画像データを子機に記憶して、前記親機は、前記子機に前記電話帳データの中から所定のデータセットを表示する場合に、前記電話帳データの表示対象となる前記データセットと該データセットを識別するレコード識別情報を編集したメッセージを前記子機に送信し、前記子機は、前記親機から前記メッセージを受信した場合に、前記メッセージに含まれるデータセットと、前記メッセージのレコード識別情報に対応して前記子機に記憶されているサムネイル画像データを所定の表示位置に表示させる。
【発明の効果】
【００１２】
本発明によれば、コードレス電話装置において、親機に名前情報や電話番号情報のテキストデータを親機に記憶させ、子機には子機にて利用可能な変換後のサムネイル画像データを予め子機に記憶させておくことにより、親機から子機の表示部に電話帳データの表示を指示する度に、親機から子機にサムネイル画像データの変換および送信を行う必要がなくなるため、サムネイル画像データを含む電話帳データを子機に表示する際に、親機から子機に送信するデータ量を削減することができ、サムネイル画像データを含む電話帳データを子機に表示させるまでの動作に遅延が生じないようにすることができる。
【図面の簡単な説明】
【００１３】
【図１】本発明の一実施の形態に係るコードレス電話システムの構成を示す模式図
【図２】図１に示したコードレス電話親機の構成を示すブロック図
【図３】図１に示したコードレス電話子機の構成を示すブロック図
【図４】図１に示した携帯電話機（無線ＩＰ端末）の構成を示すブロック図
【図５】着信時の電話帳データの表示処理手順を示すシーケンス図
【図６】図３に示したコードレス電話子機の着信中の表示画面の一例を示す図
【図７】図３に示したコードレス電話子機の通話中の表示画面の一例を示す図
【図８】電話帳操作時の電話帳データの表示処理手順を示すシーケンス図
【図９】図３に示したコードレス電話子機の電話帳操作時の表示画面の一例を示す図
【図１０】電話帳データのデータ転送時の処理手順を示すシーケンス図
【図１１】図４に示した携帯電話機に記憶される電話帳データの一例を示す図
【図１２】図２に示したコードレス電話親機に記憶される電話帳データの一例を示す図
【図１３】図３に示したコードレス電話子機に記憶される電話帳データの一例を示す図
【発明を実施するための形態】
【００１４】
以下、本発明の実施の形態について、図面を参照して詳細に説明する。
【００１５】
（実施の形態）
図１は、本発明の一実施の形態に係るコードレス電話システムの構成を示す模式図である。以下、図１を用いて、コードレス電話システムの構成について説明する。なお、以下の説明において、無線ＩＰ端末の一例としてスマートホンを含む携帯電話機を挙げるが、本発明はこれに限定するものではない。
【００１６】
図１では、宅内にコードレス電話親機１０が設けられ、コードレス電話親機１０は、アクセスポイント２０を介して、インターネットに接続しており、一方で、固定電話網に接続している。また、宅内には、コードレス電話親機１０と接続するコードレス電話子機（ＣＤＬ子機）３０−１、３０−２と、無線ＬＡＮルータ機能を備えたアクセスポイント２０及び携帯電話網に接続する携帯電話機４０が存在するものとする。なお、特定のコードレス電話子機を区別しない場合には、コードレス電話子機３０と総称する。
【００１７】
図１において、コードレス電話子機３０は、コードレス電話親機１０を介して、固定電話網に接続可能であり、コードレス電話親機１０及びアクセスポイント２０を介して、携帯電話機４０に接続可能である。携帯電話機４０は、アクセスポイント２０を介して、コードレス電話親機１０と無線ＬＡＮにて接続する。また、携帯電話機４０が、アクセスポイント２０及びコードレス電話親機１０を介して、コードレス電話子機３０、固定電話網に接続可能である。
【００１８】
図１では、子機と親機との間の無線通信方式にＤＥＣＴ（Digital Enhanced Cordless Telecommunications）方式を採用したコードレス電話子機３０であって、コードレス電話子機３０は、コードレス電話親機１０を介して、固定電話網及び携帯電話機に接続可能である。また、携帯電話機４０は、コードレス電話親機１０を介して、コードレス電話子機３０及び固定電話網に接続可能で、更に、アクセスポイント２０を介してインターネットにも接続可能である。
【００１９】
なお、図１では、携帯電話機４０が、アクセスポイント２０を介して、コードレス電話親機１０と接続する場合を示しているが、コードレス電話親機１０に無線ＬＡＮリピータ機能を設け、携帯電話機４０が、コードレス電話親機１０とダイレクトに接続し、コードレス電話親機１０からアクセスポイント２０を介してインターネットに接続することもできる。
【００２０】
図２は、図１に示したコードレス電話親機１０の構成を示すブロック図である。以下、図２を用いて、コードレス電話親機１０の構成について説明する。
【００２１】
ＮＣＵ（Network Control Unit）及びモデム部１０１は、発信時の公衆回線との接続および公衆回線からの着信検出などの電話回線の制御を行う回線制御回路（ＮＣＵ）と、着信時に公衆回線からの発信者番号情報を受信するモデム部である。
【００２２】
ＴＡＭ（Telephone Answering Machine）部１０２は、留守番電話メッセージを記憶し、メッセージの録音及び再生を行う。
【００２３】
記憶部１０３は、コードレス電話装置の各種設定データ、電話帳データ、発着信履歴情報、ＳＭＳメッセージ等の子機の通信履歴を含む子機付加情報を記憶する。なお、コードレス電話装置では、コードレス電話子機３０毎に電話帳データを設ける場合と、全てのコードレス電話子機３０において共通に使用される電話帳データを設ける場合とがある。コードレス電話親機１０は、コードレス電話子機３０毎に設けられた電話帳データ、および、全てのコードレス電話子機３０において共通に使用される電話帳データの少なくとも一方を記憶、管理している。
【００２４】
なお、記憶部１０３に記憶される電話帳データは、少なくとも、通話相手の名前情報、電話番号情報を含むデータセットを１レコード（管理対象データの単位）とした複数レコードから成るデータ構造を採る。各レコードには、電話帳通番（電話帳データのレコード番号（データセットを識別するレコード識別情報））が付与される。コードレス電話親機１０は、電話帳通番に拠って、指定のデータセットにアクセスし、名前情報等を取り出すことができる。コードレス電話親機１０は、当該電話帳データを記憶部１０３に記憶させることにより、自機（親機）が管理する電話帳データとして利用し、電話帳発信や着信時の相手名前情報等を表示することができる。
【００２５】
また、記憶部１０３は、子機情報を記憶する。子機情報は、各コードレス電話子機３０と、各コードレス電話子機３０の接続状態、子機名、子機番号（子機内線番号またはポート番号）、子機の壁紙データ情報（画像フォーマット、色数、画像サイズ等）、サムネイル画像データ情報（画像フォーマット、色数、画像サイズ等）、着信音メモリ情報（メモリ容量、または再生時間）および使用ＣＯＤＥＣが対応付けられている。子機名および子機番号は、子機を識別するための子機識別情報として用いられる。
【００２６】
音声入出力部１０４は、マイク、スピーカーとＣＯＤＥＣから構成され、着信音の出力、通話音声の入力出力を行う。
【００２７】
操作部１０５は、ユーザが操作を行うダイヤル、各種機能ボタンから構成され、ＬＣＤ（Liquid Crystal Display）部１０６は、各種情報を表示する。
【００２８】
コードレス電話子機無線Ｉ／Ｆ部１０７は、コードレス電話子機３０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００２９】
コードレス電話子機制御部１０８は、コードレス電話子機３０との間で制御データを送受信し、コードレス電話子機３０との間の制御プロトコル（例えば、ＤＥＣＴプロトコル方式、ＰＨＳプロトコル方式等）に従った発呼、着呼等のプロトコル制御を行う。なお、以下の説明では、コードレス電話子機３０との間の制御プロトコルにＤＥＣＴ方式を採用するものとする。
【００３０】
無線ＬＡＮ  Ｉ／Ｆ部１０９は、ＩＥＥＥ８０２．１１（Ｗｉ−Ｆｉ（登録商標））、の無線ＬＡＮプロトコル制御を行い、携帯電話機４０との無線データの送受信を行う。なお、無線ＬＡＮ  Ｉ／Ｆ部１０９は、Ｂｌｕｅｔｏｏｔｈ（登録商標）やＺｉｇＢｅｅ（登録商標）等の近距離無線通信技術を用いても良い。
【００３１】
親機制御部１１０は、コードレス電話親機１０全体を制御する。具体的には、親機制御部１１０は、親機制御部１１０周辺の各部から発生したイベント、メッセージを受信及び解析し、発着信呼の状態及び呼接続を制御し、各部に指示する。親機制御部１１０は、呼制御部１２１、子機転送データ受信部１２２、転送先子機決定部１２３、子機転送データ変換部１２４および子機転送データ送信部１２５を有する。
【００３２】
呼制御部１２１は、ＮＣＵ及びモデム部１０１及びコードレス電話子機制御部１０８から受信したイベント、及び、各種メッセージを処理する。
【００３３】
特に、呼制御部１２１は、加入者回線からＮＣＵ及びモデム部１０１に着信が有った場合、加入者回線から受信した発信者番号と一致する電話帳データの電話番号情報を検索し、一致した電話番号情報の属するレコードの電話帳通番（レコード番号）、名前情報および電話番号情報を付与した着信メッセージを、コードレス電話子機３０に送信する。
【００３４】
また、呼制御部１２１は、コードレス電話子機３０のユーザ操作により電話帳発信を行う際に、ユーザ操作に応じた電話帳データの表示内容を編集した表示メッセージを、コードレス電話子機３０に送信する。
【００３５】
子機転送データ受信部１２２は、無線ＬＡＮ Ｉ／Ｆ部１０９を介して、携帯電話機４０から、携帯電話機４０に記憶されている各種データ（壁紙データ、着信音データ、電話帳データ等）と転送先子機情報を編集して指定のコードレス電話子機３０へ各種データの転送を指示する子機転送データを受信し、記憶部１０３に記憶させる。
【００３６】
転送先子機決定部１２３は、記憶部１０３に記憶された子機転送データから転送先子機情報を取り出し、当該転送先子機情報に設定された子機識別情報（子機名、子機内線番号または子機ポート番号）に基づいて当該子機転送データの転送先のコードレス電話子機３０を決定する。
【００３７】
子機転送データ変換部１２４は、記憶部１０３に記憶された子機転送データの種別に基づいて所定の変換処理を実行する。例えば、子機転送データが電話帳データでサムネイル画像データが含まれている場合、子機転送データ変換部１２４は、サムネイル画像データのサイズを子機情報のコードレス電話子機３０のサムネイルサイズに合わせて変換する。
【００３８】
子機転送データ送信部１２５は、携帯電話機４０から子機転送データを受信してから所定期間内に、コードレス電話子機無線Ｉ／Ｆ部１０７を介して、転送先子機決定部１２３により選択されたコードレス電話子機３０に、子機転送データ変換部１２４によって変換処理が実行された子機転送データを送信する。また、子機転送データ送信部１２５は、変換処理を実行できなかった旨を示すメッセージ、あるいは、変換処理を実行した旨を示すメッセージを携帯電話機４０に通知する。
【００３９】
特に、子機転送データ送信部１２５は、携帯電話機４０から受信した電話帳データのサムネイル画像データをコードレス電話子機３０に送信する場合、電話帳通番と、変換後のサムネイル画像データとを対応付けて編集した子機転送データをコードレス電話子機３０に送信する。
【００４０】
図３は、図１に示したコードレス電話子機３０の構成を示すブロック図である。以下、図３を用いて、コードレス電話子機３０の構成について説明する。
【００４１】
記憶部１３１は、電話帳データ等のコードレス電話子機３０で使用する各種データを所定の記憶エリアに記憶する。
【００４２】
なお、記憶部１３１に記憶される電話帳データは、通話相手毎に、電話帳通番およびサムネイル画像データを対応付けたもので、サムネイル画像データは子機のサムネイル画像サイズに変換された形式で記憶されている。
【００４３】
音声入出力部１３２は、マイク、スピーカーとＣＯＤＥＣから構成され、着信音の出力、通話音声の入力出力を行う。
【００４４】
操作部１３３は、ユーザが操作を行うダイヤル、および、電話帳機能を起動する電話帳キー等の各種機能ボタンから構成され、ＬＣＤ（Liquid Crystal Display）部１３４は、各種情報を表示する。
【００４５】
コードレス電話親機無線Ｉ／Ｆ部１３５は、コードレス電話親機１０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００４６】
コードレス電話親機制御部１３６は、コードレス電話親機１０との間で制御データを送受信し、コードレス電話親機１０との間の制御プロトコル（例えば、ＤＥＣＴプロトコル方式、ＰＨＳプロトコル方式等）に従った発呼、着呼等のプロトコル制御を行う。
【００４７】
子機制御部１３７は、コードレス電話子機３０全体を制御する。具体的には、子機制御部１３７は、子機制御部１３７周辺の各部から発生したイベント、メッセージを受信及び解析し、発着信呼の状態及び呼接続を制御し、各部に指示する。子機制御部１３７は、呼制御部１３８および子機転送データ受信部１３９を有する。
【００４８】
呼制御部１３８は、操作部１３３およびコードレス電話親機制御部１３６から受信したイベント、及び、各種メッセージを処理する。
【００４９】
特に、呼制御部１３８は、加入者回線への着信時に、コードレス電話親機１０から電話帳通番（レコード番号）、名前情報および電話番号情報が付与された着信メッセージを受信すると、所定の着信音を鳴動させ、着信メッセージに付与されている電話帳データの電話帳通番、名前情報および電話番号情報を抽出し、当該電話帳通番のサムネイル画像データを記憶部１３１から読み出す。そして、呼制御部１３８は、発信者のサムネイル画像データ、名前情報および電話番号情報をＬＣＤ部１３４に着信中の表示画面として表示させる。
【００５０】
また、呼制御部１３８は、ユーザが電話帳発信のために行った操作部１３３からの各種キー入力情報（電話帳キー、次ページキー等）を、コードレス電話親機１０に通知する。
【００５１】
また、呼制御部１３８は、ユーザが操作部１３３の電話帳キー又は次ページキー押下によるキー情報をコードレス電話親機１０に通知すると、コードレス電話親機１０から、電話帳操作中の画面表示を指示する表示メッセージを受信し、表示メッセージに付与された電話帳通番、名前情報および電話番号情報を抽出し、当該各電話帳通番のサムネイル画像データを記憶部１３１から読み出す。そして、呼制御部１３８は、各サムネイル画像データ、名前情報および電話番号情報をＬＣＤ部１３４の所定の位置に配置させた電話帳画面を表示させる。
【００５２】
子機転送データ受信部１３９は、コードレス電話親機無線Ｉ／Ｆ部１３５を介して、コードレス電話親機１０からの子機転送データを受信し、子機転送データの種別に応じた記憶部１３１の所定の記憶エリアに、子機転送データを記憶させる。
【００５３】
特に、子機転送データ受信部１３９は、電話帳データのサムネイル画像データを受信した場合、受信した電話帳通番と、変換後のサムネイル画像データを対応付けて記憶部１３１に記憶させる。
【００５４】
図４は、図１に示した携帯電話機４０の構成を示すブロック図である。以下、図４を用いて、携帯電話機４０の構成について説明する。
【００５５】
セルラー無線Ｉ／Ｆ部１４１は、携帯電話用アンテナを介して携帯電話基地局との無線データ送受信を行う。
【００５６】
記憶部１４２は、携帯電話機４０の各種設定データ、電話帳データ、発着信履歴情報、ＳＭＳメッセージ、各種画像データ（壁紙データを含む）、音楽データ（着信音データを含む）等の情報を記憶する。
【００５７】
なお、記憶部１４２に記憶される電話帳データは、通話相手毎に、名前情報、電話番号情報およびサムネイル画像データを対応付けたものであるが、住所、メールアドレス、所属会社、生年月日等の情報を含めても良い。
【００５８】
音声入出力部１４３は、マイク、スピーカーから構成され、着信音の出力、通話音声の入力出力を行う。
【００５９】
操作部１４４は、ユーザが操作を行うダイヤル、各種機能ボタンから構成され、ＬＣＤ部１４５は、各種情報を表示する。また、スマートホン等のタッチパネルにて、操作部１４４とＬＣＤ部１４５を構成しても良い。
【００６０】
無線ＬＡＮ Ｉ／Ｆ部１４６は、ＩＥＥＥ８０２．１１の無線ＬＡＮプロトコル制御を行い、コードレス電話親機１０との無線データの送受信を行う。なお、無線ＬＡＮ  Ｉ／Ｆ部１４６は、コードレス電話親機１０側に合わせてＢｌｕｅｔｏｏｔｈ（登録商標）やＺｉｇＢｅｅ（登録商標）等の近距離無線通信技術を用いても良い。
【００６１】
外部メモリＩ／Ｆ部１４７は、ＳＤカード等の外部メモリを装着可能な形状を有し、装着された外部メモリとの間でデータの読み出し／書き込みを行う。
【００６２】
端末制御部１４８は、携帯電話機４０全体を制御する。具体的には、端末制御部１４８は、端末制御部１４８周辺の各部から発生したイベント、メッセージを受信及び解析し、発着信呼の状態及び呼接続を制御し、各部に指示する。端末制御部１４８は、セルラー電話制御部１５１、Ｗｅｂブラウザ制御部１５２、子機転送データ選択部１５３、転送先子機選択部１５４、子機転送データ変換部１５５および子機転送データ送信部１５６を有する。
【００６３】
セルラー電話制御部１５１は、セルラー無線Ｉ／Ｆ部１４１から受信した呼制御メッセージを処理する。
【００６４】
Ｗｅｂブラウザ制御部１５２は、セルラー無線Ｉ／Ｆ部１４１、若しくは、無線ＬＡＮ Ｉ／Ｆ部１４６を介して、インターネットからＨＴＭＬファイル、画像ファイル、音楽ファイル等をダウンロードし、Ｗｅｂ画面レイアウトを解析して表示・再生する制御を行う。
【００６５】
子機転送データ選択部１５３は、ユーザの操作部１４４（ＬＣＤ部１４５含む）からの操作に基づいて、記憶部１４２に記憶されたデータ群（壁紙データ、着信音データ、電話帳データ等）の中からコードレス電話子機３０に転送するデータ（子機転送データ）を選択し、子機転送データ送信部１５６に出力する。
【００６６】
転送先子機選択部１５４は、ユーザの操作部１４４（ＬＣＤ部１４５含む）からの操作に基づいて、データの転送先のコードレス電話子機３０を選択し、子機転送データ送信部１５６に出力する。なお、転送先子機選択部１５４は、１台、若しくは複数台のコードレス電話子機３０を選択することができる。
【００６７】
子機転送データ変換部１５５は、子機転送データ選択部１５３から出力された子機転送データに対して、子機転送データの種別に基づいて所定の変換処理を実行する。子機転送データが電話帳データである場合、子機転送データ変換部１５５は、子機転送データのサムネイル画像データのサイズをコードレス電話子機３０のサムネイルサイズに変換する。
【００６８】
子機転送データ送信部１５６は、子機転送データ変換部１５５によって変換処理が実行された子機転送データを編集する。具体的には、子機転送データ送信部１５６は、子機転送データのヘッダ部を生成し、ヘッダ部の子機転送データメッセージの転送先子機情報に、転送先子機選択部１５４で選択されたコードレス電話子機３０を示す転送先子機識別情報（子機名、子機内線番号または子機ポート番号）を設定する。そして、子機転送データ送信部１５６は、編集後の子機転送データを無線ＬＡＮ Ｉ／Ｆ部１４６を介してコードレス電話親機１０に送信する。
【００６９】
次に、着信時の電話帳データの表示処理手順について、図５のシーケンス図を用いて説明する。
【００７０】
ＳＴ２０１において、加入者回線から発信者番号通知を有する着信があった場合、コードレス電話親機１０では、ＮＣＵ及びモデム部１０１が着信を検知し、発信者番号を受信すると、着信検知のイベント情報と発信者番号が呼制御部１２１に通知される。ＳＴ２０２において、呼制御部１２１は、発信者番号と合致する電話帳データを検索する。
【００７１】
そして、ＳＴ２０３において、呼制御部１２１は、コードレス電話子機３０（子機１）に対して、受信した発信者番号と一致する電話帳データの電話帳通番、名前情報および電話番号情報を編集した着信メッセージを送信する。
【００７２】
なお、コードレス電話親機１０が着信メッセージを送信して加入者回線からの着信を通知するコードレス電話子機３０は、子機１のみに限らず、コードレス電話親機１０に接続中の複数台のコードレス電話子機３０（子機１，２）でも良い。また、コードレス電話親機１０は、受信した発信者番号に応じて特定のコードレス電話子機３０のみに通知するようにしても良い。
【００７３】
コードレス電話子機３０（子機１）では、呼制御部１３８がコードレス電話親機１０からの着信メッセージを受信すると、ＳＴ２０４において、着信音を鳴動させる。
【００７４】
また、ＳＴ２０５において、当該コードレス電話子機３０（子機１）の呼制御部１３８は、着信メッセージに付加されている電話帳通番に基づいて、記憶部１３１に記憶されている電話帳データの中から受信した電話帳通番に対応するサムネイル画像データを読み出す。そして、ＳＴ２０６において、呼制御部１３８は、記憶部１３１から読み出した発信者のサムネイル画像データと、着信メッセージに付与された名前情報および電話番号情報をＬＣＤ部１３４の所定の位置配置した着信中表示画面を表示させる。
【００７５】
図６は、着信中のコードレス電話子機３０の表示画面の一例を示す図である。図７は、通話中のコードレス電話子機３０の表示画面像の一例を示す図である。図６、図７に示すように、着信中あるいは通話中において、コードレス電話子機３０の画面には、通話相手のサムネイル画像１６１、通話相手の名前情報１６２、通話相手の電話番号情報１６３が表示される。
【００７６】
次に、電話帳操作時の電話帳データの表示処理手順について、図８のシーケンス図を用いて説明する。
【００７７】
ＳＴ３０１において、ユーザが操作部１３３に具備された電話帳キーを押下すると、ＳＴ３０２において、コードレス電話子機３０（子機１）の呼制御部１３８は、コードレス電話親機１０に、親機の電話帳データを参照して電話発信する電話帳機能の起動を通知するキー情報（電話帳）を送信する。
【００７８】
コードレス電話親機１０の呼制御部１２１は、キー情報（電話帳）を受信すると、ＳＴ３０３、ＳＴ３０４において、電話帳の初期画面情報である電話帳通番が最初から所定数ｎの電話帳データの電話帳通番、名前情報および電話番号情報を編集した表示メッセージをコードレス電話子機３０（子機１）に送信する。
【００７９】
コードレス電話子機３０（子機１）の呼制御部１３８は、所定数ｎの電話帳データを受信すると、ＳＴ３０５において、各電話帳データの電話帳通番のサムネイル画像データを記憶部１３１から読み出す。そして、ＳＴ３０６において、コードレス電話子機３０（子機１）は、所定数ｎのサムネイル画像データ、名前情報および電話番号情報を所定の表示位置に配置した電話帳の初期画面をＬＣＤ部１３４に表示させる。
【００８０】
次に、ＳＴ３０７において、ユーザが次ページキーを押下すると、ＳＴ３０８において、呼制御部１３８は、コードレス電話親機１０に、キー情報（次ページ）を送信する。
【００８１】
コードレス電話親機１０の呼制御部１２１は、キー情報（次ページ）を受信すると、ＳＴ３０９、ＳＴ３１０において、前回送信した最後の電話帳通番の次から所定数ｎの電話帳データの電話帳通番、名前情報および電話番号情報を編集した表示メッセージをコードレス電話子機３０（子機１）に送信する。
【００８２】
コードレス電話子機３０（子機１）の呼制御部１３８は、コードレス電話親機１０から次の所定数ｎの電話帳画面表示を指示する表示メッセージを受信すると、ＳＴ３１１において、各電話帳データの電話帳通番のサムネイル画像データを記憶部１３１から読み出す。そして、ＳＴ３１２において、呼制御部１３８は、所定数ｎのサムネイル画像データ、名前情報および電話番号情報を所定の表示位置に配置した電話帳画面をＬＣＤ部１３４に表示させる。
【００８３】
以下、ユーザの所望の電話帳データが表示されるまで、ＳＴ３０７からＳＴ３１２の処理が繰り返される。
【００８４】
図９は、電話帳操作時のコードレス電話子機３０の表示画面の一例を示す図である。図９に示すように、電話帳操作時において、コードレス電話子機３０の画面には、所定数ｎ（図９ではｎ＝５）の通話相手候補のサムネイル画像１６１、通話相手の名前情報１６２、通話相手の電話番号情報１６３が表示される。
【００８５】
このように、本実施の形態では、予め、電話帳データの名前情報や電話番号情報のテキスト情報を親機の記憶部１０３に記憶し、画像データであるサムネイル画像データをコードレス電話子機３０の記憶部１３１に記憶させておく。これにより、着信時や電話帳操作時に子機の表示部に電話帳データを表示する際、コードレス電話親機１０からコードレス電話子機３０に画像データであるサムネイル画像データを送信することなく、コードレス電話子機３０に電話帳データを表示させることができる。したがって、サムネイル画像データを含む電話帳データを子機に表示させるまでの動作に遅延が生じないようにすることができる。
【００８６】
次に、携帯電話機４０から、サムネイル画像データを含む電話帳データをコードレス電話親機１０に送信し、コードレス電話親機１０の記憶部１０３とコードレス電話子機３０の記憶部１３６に電話帳データを配置する処理手順について、図１０のシーケンス図を用いて説明する。なお、携帯電話機４０には、図１１に示すように、通話相手の名前情報、電話番号情報、およびサムネイル画像データを含むデータセットを１レコード（管理対象データの単位）とし、複数レコードから成る電話帳データが記憶される。
【００８７】
まず、ＳＴ４０１において、携帯電話機４０が、記憶部１４２に記憶された、名前情報、電話番号情報およびサムネイル画像データを対応付けた電話帳データを子機転送データ選択部１５３にて選択し、子機転送データ（電話帳データ）の転送先となる子機（子機１、子機２）を転送先子機選択部で指定し、子機転送データ（電話帳データ）をコードレス電話親機１０に送信する。
【００８８】
次に、ＳＴ４０２において、コードレス電話親機１０は、受信した電話帳データを記憶部１０３の電話帳データの記憶エリアに保存する。なお、コードレス電話親機１０は、レコード単位に、携帯電話機４０から受信した電話帳データの電話番号情報と、記憶されている電話番号情報とのマッチングにより、電話帳データのデータセットを書き込むレコードを判断する。具体的には、双方の電話番号情報が、一致すれば、一致したレコードの記憶エリアにデータセットを書き込み、一致しなければ、新規のレコードとして、コードレス電話親機１０の電話帳データの空きレコードに、携帯電話機４０から受信した電話帳データのデータセットを書き込む。
【００８９】
次に、ＳＴ４０３、ＳＴ４０４において、コードレス電話親機１０は、転送先子機決定部１２３、子機転送データ変換部１２４および子機転送データ送信部１２５での処理を経て、受信した子機転送データ（電話帳データ）の転送先子機（子機１、子機２）を決定する。そして、コードレス電話親機１０は、必要に応じて、受信したサムネイル画像データに転送先子機の画面サイブに合わせたサイズ変換処理を行った後、各コードレス電話子機３０（子機１、子機２）に対して、子機転送データ（電話帳データ）を送信する。
【００９０】
なお、コードレス電話子機３０（子機１、子機２）に送信される電話帳データには、携帯電話機４０から受信した電話帳データの全レコードの名前情報、電話番号情報およびサムネイル画像データに加え、コードレス電話親機１０の電話帳の電話帳通番（レコード番号）が付与される。ただし、図１０のＳＴ４０３、ＳＴ４０４に示す通り、コードレス電話親機１０は、サムネイル画像データと該サムネイル画像データが保存されている電話帳の電話帳通番（レコード番号）だけを送信しても良い。
【００９１】
そして、コードレス電話親機１０は、コードレス電話子機３０への電話帳データの送信を完了すると、コードレス電話子機３０の記憶部１３１に、コードレス電話親機１０の電話帳の電話帳通番と対応付けてサムネイル画像データを保存することができたので、記憶部１０３に保存したサムネイル画像データを消去し、記憶部１０３のメモリを解放する。
【００９２】
次に、ＳＴ４０５、ＳＴ４０６において、各コードレス電話子機３０（子機１、子機２）の子機転送データ受信部１３９は、コードレス電話親機１０から受信した電話帳データを記憶部１３１に記憶する。
【００９３】
この結果、コードレス電話親機１０には、図１２に示すように、電話帳通番、名前情報および電話番号情報を対応付けた電話帳データが記憶される。また、各コードレス電話子機３０には、図１３に示すように、電話帳通番およびサムネイル画像データを対応付けた電話帳データが記憶される。
【００９４】
このように、本実施の形態では、コードレス電話子機３０のサイズに合わせて変換したサムネイル画像データを予めコードレス電話子機３０に記憶させておくことにより、着信がある度に、コードレス電話親機１０からコードレス電話子機３０にサムネイル画像データの変換および送信を行う必要がなくなる。したがって、着信があってから、サムネイル画像データを含む電話帳データを子機に表示させるまでの動作に遅延が生じないようにすることができる。また、電話帳データの内、電話帳通番と、変換後のサムネイル画像データのみを予めコードレス電話子機３０に記憶させることにより、一般的に容量が小さいコードレス電話子機３０の記憶部の保存領域を節約することができる。
【００９５】
また、上記実施の形態では、コードレス電話親機１０が、コードレス電話子機３０に電話帳データを送信した後、サムネイル画像データを消去して、親機に名前情報と電話番号情報から成るテキスト情報を記憶し、子機にサムネイル画像データ（画像データ）を記憶する場合について説明したが、本発明はこれに限られず、コードレス電話親機１０が、サムネイル画像データを消去せずに親機と子機の両方でサムネイル画像データを保存して、親機のサムネイル画像データを、子機側のサムネイル画像データが誤って消失した際のバックアップ・復旧用データとして、記憶させても良い。
【００９６】
また、上記実施の形態では、コードレス電話親機１０の電話帳データの電話帳通番（レコード番号）を付与したメッセージを送信することに拠って、コードレス電話子機３０にて電話帳通番に対応付けられたサムネイル画像データを読み出し、表示させたが、子機側に電話帳データの電話番号情報とサムネイル画像データから成るレコードを記憶させて、親機から電話帳通番を付与せず電話番号情報を付与したメッセージを送信して、子機側にて、受信したメッセージの電話番号情報をレコード識別情報として用いて、メッセージ受信した電話番号情報と一致する子機側の電話番号情報のレコードを取得し、該レコードのサムネイル画像データを子機に表示させても良い。
【産業上の利用可能性】
【００９７】
本発明は、複数の子機と、その親機から構成されるコードレス電話装置に用いるに好適である。
【符号の説明】
【００９８】
１０  コードレス電話親機
２０  アクセスポイント
３０  コードレス電話子機
４０  携帯電話機
１０１  ＮＣＵ及びモデム部
１０２  ＴＡＭ部
１０３、１３１、１４２  記憶部
１０４、１３２、１４３  音声入出力部
１０５、１３３、１４４  操作部
１０６、１３４、１４５  ＬＣＤ部
１０７  コードレス電話子機無線Ｉ／Ｆ部
１０８  コードレス電話子機制御部
１０９、１４６  無線ＬＡＮ Ｉ／Ｆ部
１１０  親機制御部
１２１、１３８  呼制御部
１２２、１３９  子機転送データ受信部
１２３  転送先子機決定部
１２４、１５５  子機転送データ変換部
１２５  子機転送データ送信部
１３５  コードレス電話親機無線Ｉ／Ｆ部
１３６  コードレス電話親機制御部
１３７  子機制御部
１４１  セルラー無線Ｉ／Ｆ部
１４７  外部メモリＩ／Ｆ部
１４８  端末制御部
１５１  セルラー電話制御部
１５２  Ｗｅｂブラウザ制御部
１５３  子機転送データ選択部
１５４  転送先子機選択部
１５６  子機転送データ送信部                                                                            
【図１】
2015204492.tif 000003
【図２】
2015204492.tif 000004
【図３】
2015204492.tif 000005
【図４】
2015204492.tif 000006
【図５】
2015204492.tif 000007
【図６】
2015204492.tif 000008
【図７】
2015204492.tif 000009
【図８】
2015204492.tif 000010
【図９】
2015204492.tif 000011
【図１０】
2015204492.tif 000012
【図１１】
2015204492.tif 000013
【図１２】
2015204492.tif 000014
【図１３】
2015204492.tif 000015
【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
少なくとも１台以上の子機とその親機から成るコードレス電話装置であって、
前記親機は、
名前情報と電話番号情報とサムネイル画像データを含むデータセットをレコード単位として、少なくとも１レコード以上から成る電話帳データを、無線ＩＰ端末から受信し、レコード識別情報を各レコードに付与した状態で第１の記憶部に記憶させる電話帳データ受信部と、
前記電話帳データを受信してから所定期間内に、前記各データセットのサムネイル画像データとレコード識別情報とを対応付けて編集した子機転送データを前記子機に送信する子機転送データ送信部と、
前記子機に前記電話帳データの中から所定のデータセットを表示する場合に、表示対象となる前記データセットの名前情報と電話番号情報とレコード識別情報を編集したメッセージを前記子機に送信する第１の呼制御部と、
を具備し、
前記子機は、
前記親機から前記子機転送データ受信し、前記各データセットのサムネイル画像データとレコード識別情報とを第２の記憶部に記憶させる子機転送データ受信部と、
前記親機から前記メッセージを受信した場合に、前記メッセージに含まれる名前情報と電話番号情報と、前記第２の記憶部に記憶されているサムネイル画像データの中で前記メッセージのレコード識別情報に対応するものとを所定の表示位置に表示する第２の呼制御部と、
を具備する、
コードレス電話装置。
【請求項２】
前記第１の呼制御部は、
固定電話回線から発信者番号情報を付与された着信を検知した場合に、
前記電話帳データの電話番号情報を検索して、前記発信者番号情報と一致する電話番号情報のレコード識別情報と、前記レコード識別情報に対応するデータセットの名前情報と電話番号情報を含む前記メッセージを子機に送信して、前記子機に電話帳データを表示することを指示する、
請求項１に記載のコードレス電話装置。
【請求項３】
前記子機転送データ送信部は、前記子機転送データを前記子機に送信した後に、前記第１の記憶部に記憶されたサムネイル画像データを消去する、
請求項１または２に記載のコードレス電話装置。
【請求項４】
前記親機は、
前記サムネイル画像データを前記転送先子機で利用可能なデータフォーマットに変換するサムネイル画像データ変換部を更に具備し、
前記子機転送データ送信部は、前記サムネイル画像データ変換部にて変換された後のサムネイル画像データと前記レコード識別情報とを対応付けて編集した子機転送データを送信する、
請求項１から３のいずれか１項に記載のコードレス電話装置。
【請求項５】
少なくとも１台以上の子機とその親機から成るコードレス電話装置における電話帳制御方法であって、
前記親機は、名前情報と電話番号情報とサムネイル画像データを含むデータセットをレコード単位として、複数レコードから成る電話帳データを、無線ＩＰ端末から受信し、レコード識別情報を各レコードに付与した状態で記憶し、
前記親機は、前記無線ＩＰ端末から前記電話帳データを受信してから所定期間内に、前記各データセットのサムネイル画像データとレコード識別情報とを対応付けて編集した子機転送データを前記子機に送信し、
前記子機は、前記親機から受信した前記子機転送データに含まれる前記各データセットのサムネイル画像データとレコード識別情報とを記憶し、
前記親機は、前記子機に前記電話帳データの中から所定のデータセットを表示する場合に、表示対象となる前記データセットの名前情報と電話番号情報とレコード識別情報を編集したメッセージを前記子機に送信し、
前記子機は、前記親機から前記メッセージを受信した場合に、前記メッセージに含まれる名前情報と電話番号情報と、前記記憶されているサムネイル画像データの中で前記メッセージのレコード識別情報に対応するものとを所定の表示位置に表示させる、
電話帳制御方法。